(57)【要約】【課題】ScanToEmailの実行時におけるファイル名の入力を簡便化する。【解決手段】複合装置１は、スキャナ部１０において、文書情報が含まれたデジタル情報を表す地紋が埋め込まれた文書を読み取って画像データを生成し、地紋解析部２５において、画像データから地紋を抽出し、地紋が表すデジタル情報を解析して文書情報を取得する。ファイル名設定部２２において、文書情報に基づいて、画像データのファイル名を生成して設定し、ファイル名設定部２２で設定されたファイル名と画像データとを揮発性メモリ２１に記憶する。揮発性メモリ２１に記憶された画像データを、電子メールジョブ制御部２３で指定された宛先に送信する。このため、利用者が操作パネル１１からファイル名を入力する必要がなくなり、利便性が向上する。【選択図】図１
2012213021.tif 000002
【特許請求の範囲】
【請求項１】
文書情報が含まれたデジタル情報を表す地紋が埋め込まれた文書を読み取って、画像データを生成する読み取り部と、
前記画像データから前記地紋を抽出し、前記地紋が表す前記デジタル情報を解析して前記文書の文書情報を取得する地紋解析部と、
前記文書情報に基づいて、前記画像データの画像名を生成して設定する画像名設定部と、
前記画像名設定部で設定された前記画像名と前記画像データとを記憶する記憶部と、
を備えたことを特徴とする画像処理装置。
【請求項２】
請求項１記載の画像処理装置は、更に、
前記記憶部に記憶された前記画像データを指定された宛先に送信する画像送信部を備えたことを特徴とする画像処理装置。
【請求項３】
前記画像名設定部は、
前記文書情報に含まれる文書名から前記画像名を生成して設定することを特徴とする実施例１又は２記載の画像処理装置。
【請求項４】
請求項１又は２記載の画像処理装置は、更に、
前記地紋解析部が前記文書情報に含まれる文書名を複数取得したときには、取得した前記文書名中の１つを利用者に選択させる選択部を備え、
前記画像名設定部は、
前記選択部により選択された前記文書名から前記画像名を生成して設定することを特徴とする画像処理装置。
【請求項５】
前記画像名設定部は、
前記文書情報に文書名が含まれていないときには、前記文書情報に含まれている他の情報から前記画像データの前記文書名を作成し、前記文書名から前記画像名を生成して設定することを特徴とする実施例１又は２記載の画像処理装置。
【請求項６】
前記画像処理装置は、更に、
前記画像送信部で送信した１つ又は複数の送信済みの前記画像データにおける送信済み文書名と送信済み宛先とを関連付けて記録する文書名記録部を備え、
前記画像名設定部は、
前記文書情報に基づいて、送信予定の前記画像データの送信予定文書名を生成し、前記送信予定文書名が、前記文書名記録部で記録された前記送信済み文書名と一致し、且つ、前記指定された宛先が、前記送信済み文書名と関連付けて記録された前記送信済み宛先と一致したときには、生成した前記送信予定文書名に所定の付加情報を付加して新たな前記文書名とし、前記文書名から前記画像名を生成して設定することを特徴とする請求項２記載の画像処理装置。
【請求項７】
前記読み取り部は、
光学的に原稿を読み取るスキャナ部であることを特徴とする請求項１〜６のいずれか１項に記載の画像処理装置。
【発明の詳細な説明】
【技術分野】
【０００１】
本発明は、画像データを処理する画像処理装置に係り、特に、読み取った画像に画像名を付与して送信する技術に関するものである。
【背景技術】
【０００２】
従来の画像処理装置は、例えば、電子写真方式による多機能プリンタ（以下「複合機」いう。）等であって、原稿をスキャナで読み取り、読み取った画像データを電子メールに添付して指定された宛先に送信する機能（以下、「ScanToEmail」という。）を有している。このScanToEmailを実行する際には、スキャナで原稿を読み取った後に、利用者により、宛先や読み取った画像データの画像名等を入力している。
【０００３】
下記の特許文献１には、画像処理装置において、メールサーバに送信した電子メールが正常に受信したことを示す正常受信コマンドを受信し、その後、メールサーバに送信した電子メールを無効にする無効要求コマンドをメールサーバに送信する。メールサーバは、無効要求コマンドを受信すると、メールボックスに記憶されている電子メールを削除する。このため、メールサーバに対して送信した電子メールの削除にメールサーバの管理者を介在させないようにし、この電子メールの削除に要する手間と時間とを解消するようにした画像処理装置の技術が記載されている。
【先行技術文献】
【特許文献】
【０００４】
【特許文献１】特開２００９−１３５８９６号公報
【発明の概要】
【発明が解決しようとする課題】
【０００５】
しかしながら、従来の画像処理装置では、ScanToEmailの実行の都度、利用者が画像名を入力しなければならないため、操作が煩雑であるという課題があった。
【課題を解決するための手段】
【０００６】
本発明の画像処理装置は、文書情報が含まれたデジタル情報を表す地紋が埋め込まれた文書を読み取って、画像データを生成する読み取り部と、前記画像データから前記地紋を抽出し、前記地紋が表す前記デジタル情報を解析して前記文書の文書情報を取得する地紋解析部と、前記文書情報に基づいて、前記画像データの画像名を生成して設定する画像名設定部と、前記画像名設定部で設定された前記画像名と前記画像データとを記憶する記憶部とを備えている。
【発明の効果】
【０００７】
本発明の画像処理装置によれば、文書に埋め込まれた地紋から、地紋解析部によって文書名を抽出し、画像名設定部により、画像データの画像名を生成して設定するので、利用者が画像名を入力する必要がなくなり、利便性が向上するという効果が得られる。更に、画像名は、利用者が設定した文書名に基づいて生成するので、利用者にとって、画像名と画像データとの対応付けが容易となる。
【図面の簡単な説明】
【０００８】
【図１】図１は本発明の実施例１における図２中のメイン制御部の概略を示す構成図である。
【図２】図２は本発明の実施例１の画像処理システムの概略を示す構成図である。
【図３】図３は図２中のスキャナ部の概略を示す構成図である。
【図４】図４は図３中の操作パネルを示す外観図である。
【図５】図５は図１中の地紋解析部が生成する出所情報テーブルを示す構成図である。
【図６】図６は図４中の操作パネルに表示されるScanToEmail実行画面を示す図である。
【図７】図７は図４中の操作パネルに表示される文書名選択画面を示す図である。
【図８】図８は本発明の実施例１における複合機の動作を示すフローチャートである。
【図９】図９は本発明の実施例２の複合機におけるメイン制御部の概略を示す構成図である。
【図１０】図１０は図９中の不揮発性メモリに格納された文書名記録テーブルを示す構成図である。
【図１１】図１１は本発明の実施例２における複合機の動作を示すフローチャートである。
【発明を実施するための形態】
【０００９】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１０】
（実施例１の構成）
図２は、本発明の実施例１の画像処理システムの概略を示す構成図である。
【００１１】
本実施例１の画像処理システムは、画像処理装置（例えば、複合機）１と、この複合機１と電子メール通信を行うクライアントパーソナルコンピュータ（以下「クライアントＰＣ」という。）２と、複合機１及びクライアントＰＣ２とを接続するネットワーク３とを有している。
【００１２】
複合機１は、フラットベッドや自動読み取り装置（以下「ＡＤＦ」という。）にセットされた原稿上の文書を読み取る読み取り部（例えば、スキャナ部）１０と、コピー、印刷、ScanToEmail等の各機能の制御を行うメイン制御部２０とを有している。
【００１３】
図３は、図２中のスキャナ部１０の概略を示す構成図である。
スキャナ部１０は、ScanToEmail等の各機能の実行開始指示、ScanToEmailの実行の際の各種メニューの表示、及び複合機１に対する機器設定等の各種設定を行う操作パネル１１と、フラットベッドやＡＤＦにセットされた原稿上の文書を読み取って、画像データに変換するスキャナ制御部１２と、操作パネル１１に表示する画面データを生成し、操作パネル１１による利用者の入力を受け付けて制御する操作パネル制御部１３と、メイン制御部２０に対してコマンドの送受信を行うインタフェース部１４とを有している。更に、操作パネル制御部１３は、複数の文書名中の１つを利用者に選択させる選択部１３ａを有している。
【００１４】
スキャナ部１０で読み取る文書には地紋が埋め込まれている。ここで地紋とは、デジタル情報を表す基本単位として約０．５ｍｍ角の範囲に６００ｄｐｉの解像度で印刷した微細なドットパターンのことである。このドットパターンの集まりを文面に重ねて印刷することで、７５バイトまでの任意のデジタル情報を紙文書に埋め込むことができる。この紙文書をスキャナで読み取った画像データに一定の処理を施すことで、埋め込んだデジタル情報を抽出することができる。こうすることで、紙文書を媒体としたデジタル情報の伝達を実現し、記載内容の改ざんの有無の検証等のセキュリティ機能や、人手で紙文書に追記したチェックマークの有無や記載有無の認識をする機能等を紙文書に導入することが可能になる。
【００１５】
図１は、本発明の実施例１における図２中のメイン制御部２０の概略を示す構成図である。
【００１６】
メイン制御部２０は、リードオンリメモリ（以下「ＲＡＭ」という。）等の記憶部（例えば、揮発性メモリ）２１と、画像データの画像名（例えば、ファイル名）を設定する画像名設定部（例えば、ファイル名設定部）２２と、画像データをクライアントＰＣ２に電子メールで送信する画像送信部（例えば、電子メールジョブ制御部）２３と、画像データを揮発性メモリ２１に保存するスキャンジョブ制御部２４と、画像データから地紋を抽出し、地紋が表すデジタル情報を解析して文書の文書情報を取得する地紋解析部２５と、スキャナ部１０に対してコマンドの送受信を行うインタフェース部２６とを有している。揮発性メモリ２１は、地紋解析部２５が生成する出所情報テーブル５１を記憶している。
【００１７】
図４は、図３中の操作パネル１１を示す外観図である。
操作パネル１１は、コピーを実行する際に表示する画面を呼び出すコピーキー３１と、ファックス送信を実行する際に表示する画面を呼び出すファックスキー３２と、ScanToEmailを実行する際に表示する画面を呼び出すスキャンキー３３と、印刷状況を確認する際に表示する画面を呼び出すプリンタキー３４とを有している。
【００１８】
更に、操作パネル１１は、タッチパネル付きの液晶表示部３５を有している。液晶表示部３５には、利用者に対する各種案内メッセージが表示されると共に、利用者が指等により操作することで各種入力ができるようになっている。
【００１９】
操作パネル１１は、メニュー等の設定を初期値に戻すリセットキー３６と、数字入力用のテンキー３７と、モノクロでスキャンする際に用いるモノクロスタートキー３８と、カラーでスキャンする際に用いるカラースタートキー３９と、ジョブをキャンセルする際に用いるストップキー４０とを有している。
【００２０】
図５は、図１中の地紋解析部２５が生成する出所情報テーブル５１を示す構成図である。
【００２１】
本出所情報テーブル５１は、地紋解析部２５が画像データに埋め込まれた地紋を解析することで得ることができ、スキャナ部１０で読み取った文書が印刷された印刷日時と、この文書を印刷した印刷者名と、この文書の文書名と、文書を印刷したときの印刷データを複合機１に送信した送信元のコンピュータ名とを有している。図５に示す例では、印刷日時が「2010/5/19  14:53:10」であり、印刷者名が「沖太郎」であり、文書名が「ファイルＡ.doc」であり、送信元のコンピュータ名が「pc1234」であることを示している。
【００２２】
（実施例１の動作）
図６は、図４中の操作パネル１１に表示されるScanToEmail実行画面５２を示す図である。
【００２３】
図４に示す操作パネル１１のスキャンキー３３を利用者が押下すると、図６に示すScanToEmail実行画面５２が、操作パネル１１の液晶表示部３５に表示されるようになっている。
【００２４】
ScanToEmail実行画面５２の上部には、「メール送信宛先を指定してください」のメッセージが表示され、ScanToEmailの宛先入力を利用者に促している。画面の左サイドには、「応用機能」、「宛先指定」、「画質  文字／写真」、「濃度０」、「解像度２００ｄｐｉ」、及び「読み取りサイズ」の各ファンクションキーがグラフィック表示されている。画面の略中央は、画像データの送信先を入力する宛先指定部５２ａであり、２つの電子メールアドレス「foo@bar.com」と「aaa@bbb.com」とが表示されている。
【００２５】
電子メールアドレスの入力は、次のように行われる。利用者が宛先指定部５２ａを指等でタッチすると、図示しないアルファニューメリックのキーボードが表示され、このキーボードを用いて、電子メールアドレスの入力が行われるように構成されている。
【００２６】
図７は、図４中の操作パネル１１に表示される文書名選択画面５３を示す図である。
【００２７】
文書名選択画面５３の上部には、「文書名を選択    選択肢の中から一つを選択できます」のメッセージが表示され、利用者に文書名の選択を促している。画面の略中央は、文書名表示部５３ｂであり、読み取った文書中から抽出した複数の文書名「ファイルＡ.doc」、「ファイルＢ.doc」、及び「ファイルＣ.doc」が表示されている。画面の右上付近には、決定ボタン５３ａがグラフィック表示されている。
【００２８】
出所情報テーブル５１に文書名が複数存在する場合に、操作パネル制御部１３内の選択部１３ａは、操作パネル１１の液晶表示部３５に文書名選択画面５３を表示するようになっている。利用者が画面上の選択肢の中から１つを選択して、決定ボタン５３を押下することで、文書名が選択されるようになっている。
【００２９】
図８は、本発明の実施例１における複合機１の動作を示すフローチャートである。
【００３０】
図８は、実施例１の複合機１におけるScanToEmailの処理の動作を示している。
【００３１】
ステップＳ１において、利用者がスキャナ部１０のフラットベッド、或いはＡＤＦに地紋の印刷された原稿をセットする。続いて、図４に示すスキャンキー３３を押下すると、スキャン機能を選択する図示しない画面が表示される。ここで複数のスキャン機能の中からEmailを選択すると、図６に示すScanToEmail実行画面５２が表示される。
【００３２】
利用者が画面左側の各メニューを選択すると、各メニューの設定画面が表示される。例えば、図６において、「宛先指定」押下して電子メールアドレスを入力する。その他、画像データ送信時の画質、濃度、解像度等を必要に応じて入力する。電子メールアドレスの設定は、例えば、図６の宛先指定部５２ａを指等でタッチすると、図示しないアルファニューメリックのキーボードが表示され、このキーボードを用いて、電子メールアドレスの入力が行われる。
【００３３】
図６の例では、宛先指定部５２ａに２つの電子メールアドレスが設定されており、この２箇所に画像データを送信することを意味している。続いて、図４に示すモノクロスタートキー３８、或いは、カラースタートキー３９が押下されて、ScanToEmailが開始される。
【００３４】
ステップＳ２において、操作パネル制御部１３は、ScanToEmailが実行されたことをスキャナ部１０のスキャナ制御部１２と、メイン制御部２０のスキャンジョブ制御部２４、及び電子メールジョブ制御部２３とに通知する。このとき送信先の電子メールアドレスが、電子メールジョブ制御部に通知される。スキャナ部１０のスキャナ制御部１２は、スキャナ部１０のフラットベッド、或いはＡＤＦにセットされた原稿をスキャンし、画像データを生成する。
【００３５】
ステップＳ３において、スキャナ制御部１２は、生成した画像データを、インタフェース部１４を介してメイン制御部２０のスキャンジョブ制御部２４に渡す。スキャンジョブ制御部２４は、渡された画像データを地紋解析部２５に渡す。地紋解析部２５は、渡された画像データの地紋を解析し、出所情報テーブル５１を作成して揮発性メモリ２１に格納し、スキャンジョブ制御部２４に渡す。スキャンジョブ制御部２４は、出所情報テーブル５１をファイル名設定部２２に渡す。
【００３６】
ステップＳ４において、ファイル名設定部２２は、揮発性メモリ２１に格納されている出所情報テーブル５１を参照し、文書名が存在しない場合は（ＮＯ）、ステップＳ６へ進み、ステップＳ６において、文書名以外の出所情報から文書名を作成する。例えば、図５の印刷日時である2010/5/19  14:53:10と、文書を印刷した印刷者名である沖太郎と、印刷データを送信した宛先のコンピュータ名であるpc1234とを使用し、「20100519_145310沖太郎_pc1234」を文書名にしてステップＳ９へ進む。ここで、文書名が出所情報テーブル５１に存在しないケースとは、例えば、利用者が文書作成時に文書名を設定しなかったケースをいう。
【００３７】
ステップＳ４において、文書名が存在する場合は（ＹＥＳ）、ステップＳ５へ進み、ステップＳ５において、ファイル名設定部２２は、文書名が複数存在するかどうか調べる。文書名が複数存在するケースとは、複数の文書がスキャナ部１０において一度に読み取られた場合である。ステップＳ５において、文書名が１つだけ存在する場合は（ＮＯ）、ステップＳ９へ進む。ステップＳ５において、文書名が複数存在した場合には（ＹＥＳ）、ステップＳ７へ進む。
【００３８】
ステップＳ７において、ファイル名設定部２２は、文書名が複数存在することをスキャンジョブ制御部２４に通知し、スキャンジョブ制御部２４は、文書名が複数存在することをスキャナ部１０の操作パネル制御部１３に通知する。パネル制御部１３中の選択部１３ａは、図７に示す文書名選択画面５３を表示する。
【００３９】
ステップＳ８において、利用者が図７に示す画面上の選択肢の中から例えば、「ファイルＡ.doc」を選択し、決定ボタン５３ａを押下すると、選択部１３ａは、利用者が選択した文書名をスキャンジョブ制御部２４に渡し、スキャンジョブ制御部２４は、渡された文書名をファイル名設定部２２に渡してステップＳ９へ進む。
【００４０】
ステップＳ９において、ファイル名設定部２２は、文書名から画像データのファイル名を設定する。例えば、出所情報テーブル５１にある文書名が「ファイルＡ.ｄｏｃ」であり、画像データがＰＤＦ(Portable  Document  Format)形式であれば、ファイル名は、「ファイルＡ.doc.pdf」となる。文書名が「20100519_145310沖太郎_pc1234」であり、画像データがＰＤＦ形式であれば、ファイル名は、「20100519_145310沖太郎_pc1234.pdf」となる。
【００４１】
ステップＳ１０において、ファイル名設定部２２は、作成したファイル名をスキャンジョブ制御部２４に渡す。スキャンジョブ制御部２４は、渡されたファイル名を画像データのファイル名として設定し、画像データを揮発性メモリ２１に格納する。
【００４２】
ステップＳ１１において、スキャンジョブ制御部２４は、Email送信することをEmailジョブ制御部２３に命令する。Emailジョブ制御部２３は、揮発性メモリ２１に格納された画像データを指定された宛先に送信する。
【００４３】
（実施例１の効果）
本実施例１の複合機１によれば、文書に埋め込まれた地紋から、地紋解析部２５によって文書名を抽出し、ファイル名設定部２２により、画像データのファイル名を生成して設定するので、利用者が操作パネル１１からファイル名を入力する必要がなくなり、利便性が向上するという効果が得られる。更に、ファイル名は、利用者が設定した文書名に基づいて生成するので、利用者にとって、ファイル名と画像データとの対応付けが容易となる。
【実施例２】
【００４４】
（実施例２の構成）
図９は、本発明の実施例２の複合機１におけるメイン制御部２０Ａの概略を示す構成図であり、実施例１を示す図１中の要素と共通の要素には共通の符号が付されている。
【００４５】
本発明の実施例２におけるメイン制御部２０Ａの構成は、実施例１とほぼ同様である。本実施例２と実施例１との相違点は、実施例１の構成に加え、不揮発性メモリ２６及び文書名記録部２７が追加され、更に、実施例１のファイル名設定部２２が機能の異なるファイル名設定部２２Ａに置き換わっている点である。
【００４６】
図１０は、図９中の不揮発性メモリ２６に格納された文書名記録テーブル５４を示す構成図である。
【００４７】
本文書名記録テーブル５４は、複合機１の起動時に文書名記録部２７によって、不揮発性メモリ２６から読み出され、揮発性メモリ２１に格納され、複合機１の終了時に文書名記録部２７によって、不揮発性メモリ２６に格納されるようになっている。本文書名記録テーブル５４には、画像データをクライアントＰＣ２等の外部の装置に送信したきの送信済み文書名５４ａと、送信済み宛先５４ｂとが関連付けられて記録されている。
【００４８】
図１０の例では、文書名５４ａがファイルＡ.docである画像データが宛先foo@bar.comに送信されたことを示している。同様に、文書名５４ａがファイルＢ.docである画像データが宛先aaa@bbb.comに、文書名がファイルＣ.docである画像データが宛先123@sample.comに送信されたことを示している。
【００４９】
（実施例２の動作）
図１１は、本発明の実施例２における複合機１の動作を示すフローチャートである。
【００５０】
図１１は、実施例２の複合機１におけるScanToEmailの処理の動作を示している。実施例２の複合機１の動作は、実施例１とほぼ同様である。実施例１との相違点は、新たに、ステップＳ２１，Ｓ２２,Ｓ２３が追加された点である。
【００５１】
実施例１と同様のステップＳ１〜Ｓ８が実行され、これから送信しようとする画像データの送信予定文書名、例えば、「20100519_145310沖太郎_pc1234」がステップＳ６で作成され、又は「ファイルＡ.doc」がステップＳ８で選択される。
【００５２】
新たに追加されたステップＳ２１において、ファイル名設定部２２Ａは、これから送信しようとする送信予定文書名が、指定された宛先に対して過去に送信されたことがあるか否かを文書名記録部２７に依頼して判定する。依頼を受けた文書名記録部２７は、文書名記録テーブル５４をサーチして、送信予定文書名が、文書名記録部２７で記録された複数の送信済み文書名５４ａの１つと一致し、且つ、指定された宛先が、当該送信済み文書名５４ａと関連付けて記録された送信済み宛先５４ｂと一致するか否かを確認して、結果をファイル名設定部２２Ａに通知する。
【００５３】
送信予定文書名が、文書名記録部２７で記録された複数の送信済み文書名５４ａの１つと一致し、且つ、指定された宛先が、当該送信済み文書名５４ａと関連付けて記録された送信済み宛先５４ｂと一致したときには、新たに追加されたステップＳ２２へ進む。一致しないときには、実施例１と同様のステップＳ９へ進む。
【００５４】
新たに追加されたステップＳ２２において、ファイル名記録部２７は、送信予定文書名にスキャン時刻を付加する。例えば、送信予定文書名が「ファイルＡ.doc」の場合、スキャン時刻が２０１０年５月２４  日１１時１０分１５秒だとすると、送信予定文書名である「ファイルＡ.doc」に「20100524_111015」を付加して、「ファイルＡ.doc.20100524_111015」を新たな文書名にして、ステップＳ９へ進む。
【００５５】
実施例１と同様のステップＳ９〜Ｓ１１において、送信予定文書名から画像データのファイル名、例えば、「ファイルＡ.doc.pdf」又は「ファイルＡ.doc.20100524_111015.pdf」が生成され、揮発性メモリ２１に設定される。Emailジョブ制御部２３は、スキャンジョブ制御部２４から画像データを電子メールによって送信するよう命令される。Emailジョブ制御部２３によって、指定された宛先に画像データが送信される。
【００５６】
新たに追加されたステップＳ２３において、送信済みの画像データの送信済み文書名５４ａと送信済み宛先５４ｂとが文書名記録部２７によって、文書名記録テーブル５４に記録され、不揮発性メモリ２６に保存される。
【００５７】
（実施例２の効果）
本実施例２によれば、実施例１の効果に加え、同じ宛先に対して同じ文書名で送信した場合には、先に送信した文書が後で送信した文書によって書き換えられてしまうが、文書名にスキャン時刻を付加してファイル名を設定するので、同一の宛先についてファイル名が重複することなく送信することができるという効果がある。
【００５８】
（変形例）
本発明は、上記実施例に限定されず、種々の利用形態や変形が可能である。この利用形態や変形例としては、例えば、次の（ａ）〜（ｄ）のようなものがある。
【００５９】
（ａ）  実施例１、２では、画像処理装置として複合機１を例に説明したが、コピー機、プリンタ、ファクシミリ装置等にも適用可能である。
【００６０】
（ｂ）  実施例１、２では、スキャン機能としてScanToEmailを例に説明したが、スキャンした画像データをＵＳＢ(Universal  Serial  Bus)メモリに送信するScanToUSBMemory、スキャンした画像データを指定したネットワーク上のＰＣに送信するScanToNetworkPC等の機能にも適用可能である。
【００６１】
（ｃ）  実施例１、２では、画像データの保存形式にＰＤＦを適用して説明したが、ＴＩＦＦ（Tagged  Image  File  Format）、ＪＰＥＧ(Joint  Photographic  expert  Group)等の形式にも適用可能である。
【００６２】
（ｄ）  実施例２では、ファイル名の付加情報としてスキャナで原稿をスキャンした時刻を例に説明したが、画像データを送信した時刻、順序付けした番号等を付加情報に用いてもよい。
【符号の説明】
【００６３】
１                    複合装置
１０                    スキャナ部
１１                    操作パネル
１３                    操作パネル制御部
１３ａ                  選択部
２０                    メイン制御部
２１                    揮発性メモリ
２２                    ファイル設定部
２３                    電子メールジョブ制御部
２４                    スキャンジョブ制御部
２５                    地紋解析部
５１                    出所情報テーブル
【図１】
2012213021.tif 000003
【図２】
2012213021.tif 000004
【図３】
2012213021.tif 000005
【図４】
2012213021.tif 000006
【図５】
2012213021.tif 000007
【図６】
2012213021.tif 000008
【図７】
2012213021.tif 000009
【図８】
2012213021.tif 000010
【図９】
2012213021.tif 000011
【図１０】
2012213021.tif 000012
【図１１】
2012213021.tif 000013